(57)【要約】【課題】  送受信システムの構成上の複雑化を伴わずにマルチチャネルのオーディオデータを送受信する。【解決手段】  マルチチャネルデータを単一の周波数帯で多重化し、多重化したデータを出力する送信部２と、送信部２から供給された単一の周波数帯で多重化されたデータを受信し、自身のチャネル情報と一致するオーディオデータのみを抽出し、抽出したオーディオデータを出力する受信部３とを備える。【選択図】  図１
2005223643.tif 000002
【特許請求の範囲】
【請求項１】
入力されたオーディオデータのチャネル数を識別する識別手段と、
上記識別手段により識別されたオーディオデータのチャネル数に応じて、チャネルと当該チャネルに対応するオーディオデータ毎に所定のフォーマットに変換する変換手段と、
上記変換手段により所定のフォーマットに変換された後のデータをチャネル毎に単一周波数帯で多重化する多重化手段と、
上記多重化手段により多重化されたデータを外部に送信する送信手段とを備えることを特徴とする送信装置。
【請求項２】
受信したオーディオデータに所定の処理を行い、出力する受信装置において、
単一周波数帯で多重化された多重化データを受信する受信手段と、
上記受信手段により受信された多重化データに分離処理を行う分離処理手段と、
上記分離処理手段で分離処理されたデータからチャネル情報を抽出するチャネル情報抽出手段と、
該受信装置のチャネル情報が記憶されている記憶手段と、
上記記憶手段に記憶されているチャネル情報と、上記チャネル情報抽出手段により抽出されたチャネル情報とが一致するかどうかを判断する判断手段と、
上記判断手段で上記記憶手段に記憶されているチャネル情報と上記チャネル情報抽出手段で抽出されたチャネル情報が一致すると判断された場合、一致すると判断されたチャネル情報に対応するオーディオデータを再生出力する再生出力手段とを備えることを特徴とする受信装置。
【請求項３】
オーディオデータを送信する送信装置と、上記オーディオデータを受信する受信装置からなる送受信システムにおいて、
上記送信装置は、
入力されたオーディオデータのチャネル数を識別する識別手段と、
上記識別手段により識別されたオーディオデータのチャネル数に応じて、チャネルと当該チャネルに対応するオーディオデータ毎に所定のフォーマットに変換する変換手段と、
上記変換手段により所定のフォーマットに変換された後のデータをチャネル毎に単一周波数帯で多重化する多重化手段と、
上記多重化手段により多重化されたデータを外部に送信する送信手段とを有し、
上記受信装置は、
上記送信手段から送信された多重化データを受信する受信手段と、
上記受信手段により受信された多重化データに分離処理を行う分離処理手段と、
上記分離処理手段で分離処理されたデータからチャネル情報を抽出するチャネル情報抽出手段と、
該受信装置のチャネル情報が記憶されている記憶手段と、
上記記憶手段に記憶されているチャネル情報と、上記チャネル情報抽出手段により抽出されたチャネル情報とが一致するかどうかを判断する判断手段と、
上記判断手段で上記記憶手段に記憶されているチャネル情報と上記チャネル情報抽出手段で抽出されたチャネル情報が一致すると判断された場合、一致すると判断されたチャネル情報に対応するオーディオデータを再生出力する再生出力手段を有することを特徴とするオーディオデータの送受信システム。
【発明の詳細な説明】
【技術分野】
【０００１】
本発明は、多重化したオーディオデータを送信する送信装置と、多重化されたオーディオデータを受信し、再生出力する受信装置と、オーディオデータの送受信を行う送受信システムに関する。
【背景技術】
【０００２】
現在、マルチチャネルサラウンド方式の音声方式が採用されている送信部と受信部で構成されている送受信システムでは、ＡＣ−３（Audio Code Number ３）やＤＴＳ（Digital Theater System）等の５．１チャネル（ｃｈ）のサラウンド方式が良く知られている。この５．１ｃｈのマルチチャネルサラウンドシステムは、フロント左右の２ｃｈ、フロントセンタの１ｃｈ、リア左右の２ｃｈ及びサブウーハの０．１ｃｈで構成されるスピーカ配置により規定されている。このようなマルチチャネルサラウンド方式の送受信システムの利用形態には、種々のものがある（例えば、特許文献１参照）。
【０００３】
ここで、上述のように規定されている送受信システムにおいて、送信部から受信部へマルチチャネル伝送をする場合について説明する。例えば、送信部では、５．１ｃｈのオーディオデータを伝送するために、６ｃｈ分の帯域を確保する必要があるため、現在一般的に用いられているステレオ伝送方式で行うには、３つの異なる周波数帯域を利用する必要がある。
【０００４】
【特許文献１】特開２００１−３５２５９９号公報
【発明の開示】
【発明が解決しようとする課題】
【０００５】
しかしながら、上述のように、マルチチャネルのオーディオデータを複数の異なる周波数帯域を利用して、ステレオ伝送し、複数の異なる周波数帯域でステレオ伝送されてきたオーディオデータを受信する送受信システムでは、以下のようなデメリットがある。
【０００６】
まず、送信部は、例えば、オーディオデータが記録されている記録媒体から読み出したマルチチャネルのオーディオデータを受信部に送信するために、複数の異なる周波数を生成する生成部を備える必要があり、構造が複雑化し、かつ、高価なものとなってしまう。
【０００７】
つぎに、受信部は、送信部から送信されてきた複数の異なる周波数に対応するための処理部が必要となり、構造が複雑化し、かつ、高価なものとなってしまう。
【０００８】
さらに、受信部は、自身が再生出力するためのオーディオデータを受信するために、当該オーディオデータに対応する周波数を受信するために、所定の調整をユーザにさせる必要があり、ユーザに煩雑な作業を強いることになる。
【０００９】
そこで、本発明は、上述した課題を解決するために、マルチチャネルのオーディオデータを複数の異なる周波数を利用せずに多重化し、多重化したデータを送信する送信装置と、送信装置により送信されてきたデータに所定の処理を行い、自身が再生出力するオーディオデータをユーザに煩雑な作業を強いることなく判別し、再生出力する受信装置と、上述した送信装置と受信装置を有する送受信システムを提供することを目的とする。
【課題を解決するための手段】
【００１０】
本発明に係る送信装置は、上述の課題を解決するために、入力されたオーディオデータのチャネル数を識別する識別手段と、識別手段により識別されたオーディオデータのチャネル数に応じて、チャネルと当該チャネルに対応するオーディオデータ毎に所定のフォーマットに変換する変換手段と、変換手段により所定のフォーマットに変換された後のデータをチャネル毎に単一周波数帯で多重化する多重化手段と、多重化手段により多重化されたデータを外部に送信する送信手段とを備える。
【００１１】
また、本発明に係る受信装置は、上述の課題を解決するために、受信したオーディオデータに所定の処理を行い、出力する受信装置において、単一周波数帯で多重化された多重化データを受信する受信手段と、受信手段により受信された多重化データに分離処理を行う分離処理手段と、分離処理手段で分離処理されたデータからチャネル情報を抽出するチャネル情報抽出手段と、該受信装置のチャネル情報が記憶されている記憶手段と、記憶手段に記憶されているチャネル情報と、チャネル情報抽出手段により抽出されたチャネル情報とが一致するかどうかを判断する判断手段と、判断手段で記憶手段に記憶されているチャネル情報とチャネル情報抽出手段で抽出されたチャネル情報が一致すると判断された場合、一致すると判断されたチャネル情報に対応するオーディオデータを再生出力する再生出力手段とを備える。
【００１２】
さらに、本発明に係る送受信システムは、上述の課題を解決するために、オーディオデータを送信する送信装置と、送信されてきたオーディオデータを受信する受信装置からなる送受信システムにおいて、送信装置は、入力されたオーディオデータのチャネル数を識別する識別手段と、識別手段により識別されたオーディオデータのチャネル数に応じて、チャネルと当該チャネルに対応するオーディオデータ毎に所定のフォーマットに変換する変換手段と、変換手段により所定のフォーマットに変換された後のデータをチャネル毎に単一周波数帯で多重化する多重化手段と、多重化手段により多重化されたデータを外部に送信する送信手段とを有し、また、受信装置は、送信手段から送信された多重化データを受信する受信手段と、受信手段により受信された多重化データに分離処理を行う分離処理手段と、分離処理手段で分離処理されたデータからチャネル情報を抽出するチャネル情報抽出手段と、該受信装置のチャネル情報が記憶されている記憶手段と、記憶手段に記憶されているチャネル情報と、チャネル情報抽出手段により抽出されたチャネル情報とが一致するかどうかを判断する判断手段と、判断手段で記憶手段に記憶されているチャネル情報とチャネル情報抽出手段で抽出されたチャネル情報が一致すると判断された場合、一致すると判断されたチャネル情報に対応するオーディオデータを再生出力する再生出力手段を有する。
【発明の効果】
【００１３】
本発明に係る送信装置は、マルチチャネルデータを単一の周波数帯で多重化し、多重化したデータを出力するので、マルチチャネルのオーディオデータを送信する複数の異なる周波数を発生する発生部を備えさせる必要がなく、構成が複雑化せず、廉価に提供することができる。
【００１４】
また、本発明に係る受信装置は、単一の周波数帯で多重化されたデータを受信し、自身のチャネル情報と一致するオーディオデータのみを抽出し、抽出したオーディオデータを出力するので、マルチチャネルのオーディオデータを受信する複数の異なる周波数を受信し、処理する処理部を備えさせる必要がなく、かつ、マルチチャネルのオーディオデータを受信する際の所定の煩雑な調整をユーザに強いることないので、構成が複雑化せず、廉価に提供することができる。
【００１５】
また、本発明に係る送受信システムは、マルチチャネルデータを単一の周波数帯で多重化し、多重化したデータを出力する送信部と、送信部から供給された単一の周波数帯で多重化されたデータを受信し、自身のチャネル情報と一致するオーディオデータのみを抽出し、抽出したオーディオデータを出力する受信部とを備えるので、マルチチャネルのオーディオデータを送信する送信部に複数の異なる周波数を発生する発生部を備えさせる必要がなく、また、マルチチャネルのオーディオデータを受信する受信部に複数の異なる周波数を受信し、処理する処理部を備えさせる必要がなく、かつ、マルチチャネルのオーディオデータを受信する際の所定の煩雑な調整をユーザに強いることなく、送信部から受信部へ単一の周波数帯でマルチチャネルのオーディオデータの送受信ができる。
【００１６】
また、本願発明に係る送受信システムは、従来のマルチスピーカシステムのように、個々のスピーカに応じた音声出力をＤＳＰ（Digital Signal Processor）などの音場制御用ＩＣにより振り分ける必要がなく、ＤＳＰを内蔵した機器を中心にスピーカシステムを構成する制約がないため、スピーカのレイアウトを自由に決定することができる。
【００１７】
さらに、本願発明に係る送受信システムは、予めＤＳＰによりチャネル数が決定されることがないため、後からスピーカを増設し、より上位のマルチスピーカシステムに変更することでき、ユーザの予算に応じて自由にシステムを拡張することができる。
【発明を実施するための最良の形態】
【００１８】
以下、本発明の実施の形態として、オーディオデータを送信する送信部とオーディオデータを受信する受信部からなる送受信システムについて説明する。
【００１９】
送受信システム１は、図１に示すように、オーディオ信号が記録されている媒体から読み出したオーディオ信号を所定のデータ形式に変換して送信する送信部２と、送信部２から送信されたデータを受信し、受信したデータに所定の処理を行いオーディオ信号として外部に出力する受信部３とを備えている。
【００２０】
ここで、送信部２の構成について図２を用いて説明する。送信部２は、図２に示すように、オーディオ信号を入力するインターフェース（ＩＦ）部１０と、ＩＦ部１０に入力されたオーディオデータのチャネル数を識別し、識別したチャネル数に基づき、所定のデータ処理を行うデータ処理部１１と、データ処理部１１で処理されたデータを外部に送信するデータ送信部１２と、所定のプログラムが格納されているＲＯＭ１３と、データ処理時にデータの一時書き込み用として使用されるＲＡＭ１４と、送信部２全体を制御するＣＰＵ１５とから構成されており、バスＡを介して、ＣＰＵ１５にＩＦ部１０と、データ処理部１１と、ＲＯＭ１３と、ＲＡＭ１４とが接続されている。
【００２１】
ＩＦ部１０は、デジタル信号に変換されたオーディオデータを機器（ＤＡＴレコーダ等）間で送受信するためのインターフェイスであり、例えば、Ｓ／ＰＤＩＦ（Sony Philips Digital Interface ）である。ＩＦ部１０は、例えば、図示しないオーディオデータが記録された記録媒体から読み出されたオーディオデータが入力される。
【００２２】
データ処理部１１は、ＩＦ部１０を介して入力されたオーディオデータをＣＰＵ１５に供給し、オーディオデータのチャネル数を識別する。データ処理部１１は、オーディオデータのチャネル数を識別した結果、例えば、５．１チャネル（ｃｈ）のオーディオデータであった場合には、図３に示すように、チャネル番号と当該チャネル番号に対応するオーディオデータをチャネル毎に所定のフォーマット（例えば、ＲＴＰ（Real-Time Transport Protocol）ペイロード・フォーマット）に変換する。なお、５．１ｃｈは、フロント左右の２ｃｈ（ＦＬ、ＦＲ）、フロントセンタの１ｃｈ（ＦＣ）、リア左右の２ｃｈ（ＲＬ、ＲＲ）及びサブウーハの０．１ｃｈ（ＳＷ）で構成されるマルチチャネルサラウンドである。また、各チャネル毎のオーディオデータは、所定の固定バイト長でデータ化されており、ＩＦ部１０を介して入力されるオーディオデータを所定の固定バイト長ごとに分割し、図３に示したチャネル毎のパターンを繰り返し生成する。
【００２３】
また、データ処理部１１は、図３に示すようにチャネル毎に所定のフォーマットに変換したデータを、同一の周波数帯で多重化し、多重化したデータをデータ送信部１２に供給する（図４）。
【００２４】
データ送信部１２は、データ処理部１１から供給された多重化されたデータを送信部２の外部に出力する。
【００２５】
なお、上述した各部の動作は、ＲＯＭ１３に格納されているプログラムにしたがって行われるものであり、必要に応じて、ＲＡＭ１４が使用される。
【００２６】
つぎに、受信部３の構成について図５を用いて説明する。なお、受信部３は、フロント左（ＦＬ）用受信部３ａ、フロント右（ＦＲ）用受信部３ｂ、フロントセンタ（ＦＣ）用受信部３ｃ、リア左（ＲＬ）用受信部３ｄ、リア右（ＲＲ）側受信部３ｅ又はサブウーハ（ＳＷ）用受信部３ｆの５．１ｃｈで構成されているものとする。以下では、各受信部３ａ〜３ｆを総称して受信部３と呼ぶ。
【００２７】
受信部３は、図５に示すように、オーディオデータを受信するデータ受信部２０と、データ受信部２０により受信されたオーディオデータに所定のデータ処理を行うデータ処理部２１と、データ処理部２１で所定のデータ処理が行われたオーディオデータ（デジタルデータ）をアナログデータに変換するＤ／Ａ変換部２２と、Ｄ／Ａ変換部２２でアナログデータに変換されたオーディオデータを外部に出力する出力部２３と、受信部３のチャネル情報が含まれている属性情報が格納されている属性情報格納部２４と、所定のプログラムが格納されているＲＯＭ２５と、データ処理時にデータの一時書き込み用として使用されるＲＡＭ２６と、受信部３全体を制御するＣＰＵ２７とから構成されており、バスＢを介して、ＣＰＵ２７にデータ処理部２１と、属性情報格納部２４と、ＲＯＭ２５と、ＲＡＭ２６とが接続されている。なお、受信部３では、自身がＦＬ用受信部３ａならばチャネル情報「ＦＬ」、自身がＦＲ用受信部３ｂならばチャネル情報「ＦＲ」、自身がＦＣ用受信部３ｃならばチャネル情報「ＦＣ」、自身がＲＬ用受信部３ｄならばチャネル情報「ＲＬ」、自身がＲＲ用受信部３ｅならばチャネル情報「ＲＲ」、自身がＳＷ用受信部３ｆならばチャネル情報「ＳＷ」が属性情報に含まれ属性情報格納部２４に格納されている。
【００２８】
データ受信部２０は、送信部２のデータ送信部１２から送信されてきた単一周波数帯で多重化されたデータを受信し、受信したデータをデータ処理部２１に供給する。
【００２９】
データ処理部２１は、データ受信部２０から供給された多重化されたデータを分離処理する。データ処理部２１は、ＣＰＵ２７の制御により所定のチャネル情報に対応するオーディオデータを抽出し、抽出したオーディオデータを連続的なデータに変換し、Ｄ／Ａ変換部２２に出力する。
【００３０】
Ｄ／Ａ変換部２２は、データ処理部２０から供給されたオーディオデータをアナログデータに変換して出力部２３に供給する。出力部２３は、Ｄ／Ａ変換部２２から供給されたアナログのオーディオデータを受信部３の外部に出力する。
【００３１】
なお、上述した各部の動作は、ＲＯＭ２５に格納されているプログラムにしたがって行われるものであり、必要に応じて、ＲＡＭ２６が使用される。
【００３２】
ここで、ＣＰＵ２７の制御に基づき受信部３の動作について、図６に示すフローチャートを用いて説明する。
【００３３】
ステップＳ１において、ＣＰＵ２７は、データ受信部２０にデータが供給されたときに、属性情報格納部２４から属性情報を読み出し、読み出した属性情報からチャネル情報を抽出する。なお、ＣＰＵ２７は、図示しない電源部から電源が供給された際に、属性情報格納部２４から属性情報を読み出し、読み出した属性情報からチャネル情報Ａを抽出する構成であっても良い。
【００３４】
ステップＳ２において、ＣＰＵ２７は、データ処理部２１からデータを読み出し、該データからチャネル情報Ｂを抽出する。
【００３５】
ステップＳ３において、ＣＰＵ２７は、ステップＳ１で抽出されたチャネル情報ＡとステップＳ２で抽出されたチャネル情報Ｂとが一致するかどうかを判断する。判断の結果、チャネル情報Ａとチャネル情報Ｂとが一致しない場合には、ステップＳ２に戻る。
【００３６】
ステップＳ２に戻った場合、ＣＰＵ２７は、次のデータをデータ処理部２１から読み出し、該データからチャネル情報Ｂを読み出す。
【００３７】
例えば、属性情報格納部２４に格納されている属性情報に含まれているチャネル情報がチャネル情報「ＦＲ」の場合には、最初にデータ処理部２１から読み出したデータのチャネル情報はチャネル情報「ＦＬ」であるためチャネル情報は不一致となり、次のデータのチャネル情報はチャネル情報「ＦＲ」であるためチャネル情報は一致する。
【００３８】
また、判断の結果、チャネル情報Ａとチャネル情報Ｂとが一致した場合には、ステップＳ４に進む。
【００３９】
ステップＳ４において、ＣＰＵ２７は、チャネル情報Ｂに対応するオーディオデータを抽出するようにデータ処理部２１を制御する。
【００４０】
データ処理部２１は、ＣＰＵ２７の制御により抽出したオーディオデータをＤ／Ａ変換部２２に供給する。
【００４１】
なお、受信部３の形態は、上述した５．１ｃｈでなくても良く、ＦＬ用受信部３ａ及びＦＲ用受信部３ｂの組み合わせ（２ｃｈ）、ＦＬ用受信部３ａ、ＦＲ用受信部３ｂ及びＦＣ用受信部３ｃの組み合わせ（３ｃｈ）、ＦＬ用受信部３ａ、ＦＲ用受信部３ｂ、ＲＬ用受信部３ｄ及びＲＲ用受信部３ｅの組み合わせ（４ｃｈ）、ＦＬ用受信部３ａ、ＦＲ用受信部３ｂ、ＦＣ用受信部３ｃ及びＳＷ用受信部３ｆの組み合わせ（３．１ｃｈ）又は、ＦＬ用受信部３ａ、ＦＲ用受信部３ｂ、ＲＬ用受信部３ｄ、ＲＲ用受信部３ｅ及びＳＷ用受信部３ｆの組み合わせ（４．１ｃｈ）であっても良い。
【００４２】
このように構成されるオーディオデータの送受信システム1は、マルチチャネルデータを単一の周波数帯で多重化し、多重化したデータを出力する送信部２と、送信部２から供給された単一の周波数帯で多重化されたデータを受信し、自身のチャネル情報と一致するオーディオデータのみを抽出し、抽出したオーディオデータを出力する受信部３とを備えるので、マルチチャネルのオーディオデータを送信する送信部２に複数の異なる周波数を発生する発生部を備えさせる必要がなく、また、マルチチャネルのオーディオデータを受信する受信部３に複数の異なる周波数を受信し、処理する処理部を備えさせる必要がなく、かつ、マルチチャネルのオーディオデータを受信する際の所定の煩雑な調整をユーザに強いることなく、送信部２から受信部３へ単一の周波数帯でマルチチャネルのオーディオデータの送受信ができる。
【００４３】
また、本願発明に係る送受信システム１は、従来のマルチスピーカシステムのように、個々のスピーカに応じた音声出力をＤＳＰ（Digital Signal Processor）などの音場制御用ＩＣにより振り分ける必要がなく、ＤＳＰを内蔵した機器を中心にスピーカシステムを構成する制約がないため、スピーカのレイアウトを自由に決定することができる。
【００４４】
さらに、本願発明に係る送受信システム１は、予めＤＳＰによりチャネル数が決定されることがないため、後からスピーカを増設し、より上位のマルチスピーカシステムに変更することでき、ユーザの予算に応じて自由にシステムを拡張することができる。
【図面の簡単な説明】
【００４５】
【図１】本発明に係るマルチチャネルオーディオデータの送受信システムの構成を示すブロック図である。
【図２】図１に示した送受信システムが備える送信部の構成を示すブロック図である。
【図３】図２に示した送信部により入力されたオーディオデータを所定のフォーマットに変換した際のデータの模式図である。
【図４】図３に示すように所定のフォーマットに変換したデータを多重化した後のデータの模式図である。
【図５】図１に示した送受信システムが備える受信部の構成を示すブロック図である。
【図６】受信部の動作を示すフローチャートである。
【符号の説明】
【００４６】
１  送受信システム、２  送信部、３  受信部、１０  インターフェース（ＩＦ）部、１１，２１  データ処理部、１２  データ送信部、１３，２５  ＲＯＭ、１４，２６  ＲＡＭ、１５  ＣＰＵ、２０  データ受信部、２２  Ｄ／Ａ変換部、２３  出力部、２４  属性情報格納部
【図１】
2005223643.tif 000003
【図２】
2005223643.tif 000004
【図３】
2005223643.tif 000005
【図４】
2005223643.tif 000006
【図５】
2005223643.tif 000007
【図６】
2005223643.tif 000008